(57)【要約】  発明は、聴覚障害者のための聴音経験を向上させるための方法に関する。方法は、聴覚装置（２）を用いて会話信号を受信するステップ（２０）と、受信される会話信号の単語数を決定するステップ（３０）と、聴覚装置（２）によって受信される会話信号に関連付けられる総／累積単語数を決定するステップ（４０）と、聴覚装置（２）で受信される会話信号を処理するステップ（５０）と、聴覚装置（２）のスピーカを用いて処理済み会話信号を再生するステップ（６０）と、を備える。発明は、さらに、聴覚装置（２）に関する。
2020535731.tif 000002
【特許請求の範囲】
【請求項１】
聴覚デバイスの操作方法であって、
第１の会話信号を取得する工程と、
前記第１の会話信号の第１の単語数を決定する工程と、
前記第１の単語数に基づき総単語数を更新する工程と、
前記第１の会話信号に基づき電気出力信号を提供する工程と、
前記電気出力信号を音声出力信号に変換する工程と、
を備える方法。
【請求項２】
前記第１の会話信号を取得する工程は、前記聴覚装置のマイクロホンモジュールを用いて前記第１の会話信号を取得する工程を備え、
前記方法は、前記第１の会話信号の第１の到来方向を決定する工程を備え、前総単語数を更新する工程は、前記第１の到来方向に基づく、請求項１に記載の方法。
【請求項３】
前記方法は、
第２の会話信号を取得する工程と、
前記第２の会話信号の第２の単語数を決定する工程と、
前記第２の単語数に基づき総単語数を更新する工程と、
を備える、請求項１または２に記載の方法。
【請求項４】
前記方法は、前記第１の会話信号の第１の了解度パラメータを決定する工程を備え、前記第１の会話信号の第１の単語数を決定する工程は、前記第１の了解度が了解度基準を満たしていることに応じて実行される、請求項１〜３のいずれか一項に記載の方法。
【請求項５】
前記方法は、前記第１の会話信号のソースである人のアイデンティティを決定する工程を備える、請求項１〜４のいずれか一項に記載の方法。
【請求項６】
前記第１の単語数に基づき総単語数を更新する工程は、アイデンティティが第１のアイデンティティであることに応じて、前記第１のアイデンティティに関連付けられた第１の総単語数を更新する工程と、アイデンティティが第２のアイデンティティであることに応じて、前記第２のアイデンティティに関連付けられた第２の総単語数を更新する工程とを含む、請求項５に記載の方法。
【請求項７】
前記第１のアイデンティティは、前記聴覚装置の前記ユーザのアイデンティティであり、前記第２のアイデンティティは前記ユーザの親である、請求項６に記載の方法。
【請求項８】
前記第１の会話信号のソースである人のアイデンティティを決定する工程は、
前記第１の会話信号を１つまたは複数の音声パラメータにパラメータ化する工程と、
前記音声パラメータを人のさまざまなアイデンティティと関連付けた事前に保存された音声パラメータと比較する工程と、
音声パラメータの前記比較に基づいて、前記第１の会話信号のソースである人のアイデンティティを確立する工程と、を備える、請求項５〜７のいずれか一項に記載の方法。
【請求項９】
前記第１の会話信号を取得する工程は、前記聴覚装置のトランシーバモジュールを介して外部デバイスから前記第１の会話信号を取得する工程を備える、請求項１〜８のいずれか一項に記載の方法。
【請求項１０】
前記方法は、前記総単語数を、前記トランシーバモジュールを介して外部デバイスに送信する工程を備える、請求項１〜９のいずれか一項に記載の方法。
【請求項１１】
前記方法は、前記総単語数をリセットする工程を備える、請求項１〜１０のいずれか一項に記載の方法。
【請求項１２】
前記方法は、
前記聴覚装置の位置を決定する工程と、
前記聴覚装置の前記位置が前記ユーザの耳の位置を示していない場合、前記第１の会話信号の第１の単語数を決定することを無効にする工程を備える、請求項１〜１１のいずれか一項に記載の方法。
【請求項１３】
第１の会話信号を取得する受信ユニットと、
前記第１の会話信号に基づき電気出力信号を提供するプロセッサと、
前記電気出力信号をオーディオ出力信号に変換するレシーバと、
を備え、
請求項１〜１２に記載の方法を実行するように構成される、聴覚装置。
【請求項１４】
第１の会話信号を取得する受信ユニットと、
前記第１の会話信号に基づき電気出力信号を提供するプロセッサと、
前記電気出力信号を音声出力信号に変換するレシーバと、
を備え、
前記プロセッサは、
前記第１の会話信号の第１の単語数を決定し、
前記第１の単語数に基づき総単語数を更新し、
電気出力信号を提供するために前記第１の会話信号を処理する、ように構成される、聴覚装置。
【発明の詳細な説明】
【技術分野】
【０００１】
本開示は、例えば会話へのユーザの露出を評価またはモニタするための聴覚装置および関連する方法に関する。聴覚障害者の聴音経験を向上させるシステムおよび装置も開示される。
【背景技術】
【０００２】
データにより異なるが、１，０００人の新生児あたり少なくとも１人の乳児は難聴である。先天性難聴に加えて、生まれてからの数年間に難聴になることもある。この状況において、子どもは生まれた日から話すことを学び始める。公知のように、３歳までに、十分な言語スキルを身につけるために１日あたり約３万語を聞く必要がある。特に、子どもは自分の発音を発達させ、最終的に文章を組み立てる方法を学ぶために、会話を聞き、その後練習する必要がある。言語発達初期段階での不足は、後の人生で克服するのが困難である。
【０００３】
ここで、子どもに聴覚障害があることを知ると、聴覚障害児の親および親戚が次第に会話しなくなり始めるか、または子どもに完全に話しかけなくなるのは珍しいことではない。したがって、子供の障害を知ることは、子供が必要としているものに対して不利に働く。
【発明の概要】
【０００４】
したがって、本開示の目的は、当技術分野と関連する上記および他の欠点を少なくとも軽減することである。
【０００５】
上記の目的は、特許請求の範囲および項目を含む本明細書に開示の方法および装置によって達成される。
【０００６】
聴覚デバイスの操作方法が開示され、方法は、第１の会話信号を取得する工程と、第１の会話信号の第１の単語数を決定する工程と、第１の単語数に基づき総単語数を更新する工程と、第１の会話信号および／または入力信号に基づき電気出力信号を提供する工程と、電気出力信号を音声出力信号に変換する工程と、を備える。
【０００７】
聴覚装置も開示され、聴覚装置は、第１の会話信号を取得する受信ユニットと、第１の会話信号に基づき電気出力信号を提供するプロセッサと、電気出力信号をオーディオ出力信号に変換するレシーバと、を備え、聴覚装置は、本開示の方法又は方法の少なくとも一部を実行するように構成される。
【０００８】
さらに、聴覚装置が開示されており、聴覚装置は、第１の会話信号を取得する受信ユニットと、第１の会話信号に基づき電気出力信号を提供するプロセッサと、電気出力信号を音声出力信号に変換するレシーバと、を備え、プロセッサは、第１の会話信号の第１の単語数を決定し、第１の単語数に基づき総単語数を更新し、電気出力信号を提供するために前記第１の会話信号を処理するように構成される。
【０００９】
さらに、本開示は、例えば聴覚障害者のための聴音経験を向上させるための方法が提供され、方法は、聴覚装置を用いて会話信号を受信するステップと、受信される会話信号の単語数を決定するステップと、聴覚装置によって受信される会話信号に関連付けられる総／累積単語数を決定するステップと、聴覚装置で受信される会話信号を処理するステップと、聴覚装置のスピーカを用いて処理済み会話信号を再生するステップと、を備える。
【００１０】
本開示は、ユーザ、例えば聴覚障害児がさらされる単語数を追跡し得ることを必要とする。より具体的には、進行中の会話信号の単語数は、子どもの聴覚装置によって受信された以前の会話と関連する総／累積単語数または総単語数に継続的に加算される。ここで、追跡された露出期間は、典型的には、子どもが目覚めてから子どもが眠りに落ちるまでの期間にわたる。有利には、聴覚障害児の親および／または聴覚ケア専門家は、これにより子どもの聴覚日（ａｕｄｉｔｏｒｙ  ｄａｙ）の１つの重要な特徴についての知識をさらに得ることができる。これにより、話し言葉へのさらなる露出が必要な時期を判断することが容易になる。関連する状況では、１日の終わりに、聴覚障害児が十分な数の単語にさらされたかどうかを簡単かつ迅速に判断できる。このようにして、障害があるにもかかわらず、子どもが通常のペースでその言語スキルを身につけることが容易になり得る。
【００１１】
本開示の重要な利点は、ユーザの会話への露出を効果的にモニタすることができることである。
【００１２】
実施形態のさらなる利点および特徴は、図面と併せて以下の発明を実施するための形態を読めば明らかになるであろう。
【図面の簡単な説明】
【００１３】
【図１】本開示による例示的聴覚装置のブロック図である。
【図２】本発明の一実施形態による聴音経験を向上させる方法のフローチャートを示す。
【図３】聴覚デバイスの例示的操作方法のフローチャートを示す。
【図４】本開示による例示的聴覚装置のブロック図である。
【図５】聴覚デバイスの例示的操作方法のフローチャートを示す。
【図６】聴覚デバイスの例示的操作方法のフローチャートを示す。
【図７】聴覚デバイスの例示的操作方法のフローチャートを示す。
【発明を実施するための形態】
【００１４】
ここで本発明を、好ましい実施形態が示されている添付の図面を参照して、以下でより完全に説明する。しかしながら、本発明は、多くの異なる形態で実施することができ、また、本明細書で記載される実施形態に限定されるものとして解釈されるべきではない。むしろ、本開示が完璧かつ完全であるように、また当業者に完全にその範囲を伝えるように、これらの実施形態が提供される。図面において、同じ参照番号は同じ要素を指し示す。
【００１５】
聴覚装置および関連する方法が開示される。聴覚デバイスは、１つまたは複数のデバイスと、例えば別の聴覚デバイスと、例えば両耳用聴覚システムの一部として、かつ／またはスマートフォンおよび／もしくはスマートウォッチのような１つもしくは複数のアクセサリ／外部デバイスと無線接続するように構成されてよい。
【００１６】
聴覚装置／受信ユニットは、任意に、アンテナと、アンテナ出力信号をトランシーバ入力信号に変換するためにアンテナに接続された無線トランシーバと、を備える。異なる外部音源からの無線信号は、無線トランシーバでトランシーバ入力信号へと多重化されるか、または、独立したトランシーバ入力信号として無線トランシーバの独立したトランシーバ出力端子に提供されてよい。聴覚装置は、複数のアンテナを備えていてもよく、かつ／または、アンテナは、１つもしくは複数のアンテナモードで動作してもよい。
【００１７】
聴覚装置／受信ユニットは、１組のマイクロホンを備える。１組のマイクロホンは、１つまたは複数のマイクロホンを含んでよい。１組のマイクロホンは、第１のマイクロホン入力信号を提供するための第１のマイクロホン、および／または、第２のマイクロホン入力信号を提供するための第２のマイクロホンを備える。１組のマイクロホンは、Ｎ個のマイクロホン信号を提供するためにＮ個のマイクロホンを備えていてもよく、ここでＮは１〜１０の範囲の整数である。１つまたは複数の例示的な聴覚デバイスでは、マイクロホンの数Ｎは、２、３、４、５、またはそれ以上である。１組のマイクロホンは、第３のマイクロホン入力信号を提供するための第３のマイクロホンを備えていてもよい。第１の会話信号は、第１のマイクロホン入力信号および／または第２のマイクロホン入力信号に基づいてもよい。第１の会話信号は、トランシーバ入力信号に基づいてもよい。聴覚装置は、マイクロホン、および／または、無線トランシーバからの入力信号を混合する混合モジュールを備えていてもよい。
【００１８】
聴覚装置は、第１の会話信号を含む入力信号を処理するプロセッサを備える。プロセッサは、任意に、聴覚デバイスのユーザの聴力損失を補うように構成されている。プロセッサは、入力信号に基づきプロセッサに電気出力信号を提供する。プロセッサの入力端子は、任意に、混合モジュールの対応する出力端子、または、対応するマイクロホンのマイクロホン出力端子に接続される。
【００１９】
聴覚装置の操作方法が開示される。本方法は、第１の会話信号を取得する工程と、第１の会話信号の第１の単語数を決定する工程と、第１の単語数に基づき総単語数を更新する工程と、第１の会話信号に基づき電気出力信号を提供する工程と、電気出力信号を音声出力信号に変換する工程と、を備える。総単語数は、いくつかの、例えば複数の総単語数値を含んでいてもよい。例えば、総単語数は、会話信号のソースである人のそれぞれのアイデンティティに関連付けられた総単語数を含んでいてもよい。例えば、総単語数は、会話信号のそれぞれの到来方向に関連付けられた総単語数を含んでいてもよい。総単語数は、音声信号のそれぞれの了解度パラメータの範囲または値に関連付けられた１つまたは複数の総単語数を含んでいてもよい。第１の会話信号は、０．１秒〜１０秒の範囲の持続時間を有していてもよい。総単語数は、少なくとも３０分間、例えば少なくとも１時間、少なくとも２時間、またはそれ以上の期間にわたって決定されていてもよい。本方法は、少なくとも３０分間、例えば少なくとも１時間、少なくとも２時間、またはそれ以上の期間にわたって実行されていてもよい。
【００２０】
本方法では、第１／第ｉの会話信号に基づいて第１／第ｉの単語数を決定する工程は、例えば１つまたは複数のアイデンティティ基準、１つまたは複数の了解度基準、１つまたは複数の方向基準、１つまたは複数の位置基準、および１つまたは複数のノイズ基準から選択された１つまたは複数の基準が満たされていることに応じて実行されてもよい。指数ｉは、繰り返す単語カウント手順を示すために使用される（図５および対応する記述も参照）。ｉ＝１の第ｉの要素は第１の要素を示し、例えば、ｉ＝１の第ｉの会話信号は第１の会話信号を示し、ｉ＝１の第ｉの単語数は第１の単語数を示す。
【００２１】
本方法では、第１／第ｉの単語数に基づいて総単語数を更新する工程は、例えば１つまたは複数のアイデンティティ基準、１つまたは複数の了解度基準、１つまたは複数の方向基準、１つまたは複数の位置基準、および１つまたは複数のノイズ基準から選択された１つまたは複数の基準が満たされていることに応じて実行されてよい。
【００２２】
１つまたは複数の例示的な方法では、第１／第ｉの会話信号を取得する工程は、聴覚装置のマイクロホンモジュールを用いて第１／第ｉの会話信号を取得する工程を備えていてもよい。本方法は、第１／第ｉの会話信号の第１／第ｉの到来方向を決定する工程を備えていてもよく、第１／第ｉの会話信号の第１／第ｉの単語数を決定する工程、および／または、総単語数を更新する工程は、任意で、第１／第ｉの到来方向に基づく。例えば、第１／第ｉの会話信号の第１／第ｉの単語数を決定する工程、および／または、総単語数を更新する工程は、第１／第ｉの到来方向が方向基準を満たすことに応じて実行されてもよい。第１／第ｉの到来方向が第１の方向範囲内にある場合、例えば０方向（ユーザの順方向）の±４５度以内または±３０度以内にある場合、方向基準が満たされていてもよい。それにより、単語数は、ユーザが会話信号のソースに向かって集中しており、例えばユーザが人／会話のソースを見ている場合にのみ決定／更新されてよい。１つまたは複数の例示的な方法では、総単語数は、第１の方向範囲内の人から受け取った単語数を示す第１の方向総単語数を含む。したがって、総単語数を更新する工程は、例えば、第１／第ｉの到来方向が第１の方向範囲内にあることに応じて、第１の方向性総単語数を更新する工程を備えていてもよい。本方法では、総単語数を更新する工程は、例えば、第１／第ｉの到来方向が第２の方向範囲内、例えば第１の方向範囲外にあることに応じて、第２の方向総単語数を更新する工程を備えていてもよい。
【００２３】
本方法は、第２の会話信号を取得する工程と、任意に、第２の会話信号の第２の単語数を決定する工程と、例えば第２の単語数を現在の総単語数に加算することによって、第２の単語数に基づいて総単語数を更新する工程と、を備えていてもよい。本方法では、第２の会話信号を取得する工程、任意に、第２の会話信号の第２の単語数を決定する工程、および、第２の単語数に基づいて総単語数を更新する工程は、進行基準が満たされるか、または停止基準が満たされないことに応じて実行されてもよい。
【００２４】
本方法は、第１／第ｉの会話信号の第１／第ｉの了解度パラメータを決定する工程を含んでいてもよい。第１／第ｉの了解度パラメータは、音声了解度指数（Ｓｐｅｅｃｈ  Ｉｎｔｅｌｌｉｇｉｂｉｌｉｔｙ  Ｉｎｄｅｘ：ＳＩＩ）、短時間客観了解度（Ｓｈｏｒｔ−Ｔｉｍｅ  Ｏｂｊｅｃｔｉｖｅ  Ｉｎｔｅｌｌｉｇｉｂｉｌｉｔｙ：ＳＴＯＩ）メトリック、正規化共分散メトリック、または、第１の会話信号の了解度を示す他の尺度であってよい。本方法では、第１の会話信号の第１／第ｉの単語数を決定する工程は、第１／第ｉの了解度パラメータが了解度基準を満たすことに応じて、例えば第１／第ｉの了解度パラメータが了解度閾値を満たしている場合、実行される。本方法は、第２の会話信号の第２の了解度パラメータを決定する工程を含んでいてもよい。第２の了解度パラメータは、音声了解度指数（ＳＩＩ）、または第２の会話信号の了解度を示す他の尺度であってよい。本方法では、第２の会話信号の第２の単語数を決定する工程は、任意に、第２の了解度パラメータが了解度基準を満たすことに応じて、例えば第２の了解度パラメータが了解度閾値を満たしている場合、実行される。したがって、単語数の決定および／または更新は、会話信号が理解できる場合にのみ実行され、ひいては、電力効率が良い聴覚装置につながる。さらに、関連性が向上した総単語数が提供される。
【００２５】
本方法は、例えば１組のアイデンティティから、第１／第ｉの会話信号のソースである人のアイデンティティを決定する工程を備えていてもよい。１組のアイデンティティは、１、２、３、４、５、またはそれ以上のアイデンティティを含んでよい。聴覚装置のメモリの制限により、限られた組のアイデンティティが好ましくなり得る。したがって、１組のアイデンティティは、２０未満または１０未満のアイデンティティから構成されていてもよい。
【００２６】
第１／第ｉの会話信号のソースである人のアイデンティティを決定する工程は、第１／第ｉの会話信号を１つまたは複数の音声パラメータにパラメータ化する工程と、音声パラメータを、人のさまざまなアイデンティティと関連する１つまたは複数の予め保存された音声パラメータと比較する工程と、音声パラメータの比較に基づき第１／第ｉの会話信号のソースである人のアイデンティティを確立する工程と、を備えていてもよい。換言すれば、１つまたは複数の音声パラメータは、例えばルックアップテーブルの使用により、第１／第ｉの会話信号のソースである人のアイデンティティにマッピングされてもよい。第１／第ｉの会話信号のソースである人のアイデンティティを決定する工程は、聴覚装置のトランシーバモジュールを介して、外部デバイスからアイデンティティを受信する工程を備えていてもよい。
【００２７】
総単語数は、第１の総単語数および／または第２の総単語数等の１つまたは複数の総単語数を含んでよく、これらはそれぞれ、第１／第ｉの会話信号のソースである人の１つまたは複数のアイデンティティに関連付けられる。本方法では、第１／第ｉの単語数に基づいて総単語数を更新する工程は、アイデンティティが第１のアイデンティティであることに応じて第１のアイデンティティに関連付けられた第１の総単語数を更新する工程を備えていてもよい。任意に、第１／第ｉの単語数に基づき総単語数を更新する工程は、アイデンティティが第２のアイデンティティであることに応じて第２のアイデンティティに関連付けられた第２の総単語数を更新する工程を備えていてもよい。したがって、総単語数は、第１のアイデンティティに関連付けられた第１の総単語数および／または第２のアイデンティティに関連付けられた第２の総単語数を含んでいてもよい。第１のアイデンティティは、聴覚装置のユーザまたはユーザの親、例えば母親または父親のアイデンティティであってもよい。第２のアイデンティティは、ユーザの親、例えば母親もしくは父親、または兄弟であってもよい。使用されるアイデンティティの数は、１、２、３、４、またはそれ以上であってもよいことに留意されたい。任意に、第１／第ｉの単語数に基づき総単語数を更新する工程は、アイデンティティが第２のアイデンティティであることに応じて第２のアイデンティティに関連付けられた第２の総単語数を更新する工程を備えていてもよい。１つまたは複数の例示的な方法では、アイデンティティの決定が失敗した場合、例えば、第１／第ｉの会話信号が１組のアイデンティティ中のアイデンティティに合致しない場合、総単語数は更新されない。１組のアイデンティティは、アイデンティティを持たない人に関連付けられたアイデンティティ、すなわち「その他」のアイデンティティを含んでいてもよい。したがって、第３のアイデンティティは、他者のアイデンティティであってもよい。
【００２８】
本方法では、総単語数を更新する工程は、総単語数またはその一部を聴覚装置のメモリに保存する工程を備えていてもよい。本方法は、例えば、総単語数を更新した後、追加の会話信号を取得する工程と、追加の会話信号の追加の単語数を決定する工程と、追加の単語数を用いて総単語数を更新する工程と、を備えていてもよい。本方法では、追加の会話信号を取得する工程、追加の会話信号の追加の単語数を決定する工程、および追加の単語数を用いて総単語数を更新する工程は、停止基準が満たされていないことに応じて実行されてもよい。
【００２９】
１つまたは複数の例示的な方法では、第１／第ｉの会話信号を取得する工程は、聴覚装置のトランシーバモジュールを介して外部デバイスから第１／第ｉの会話信号を取得する工程を備える。外部デバイスは、外部デバイスから第１／第ｉの会話信号のソースである人のアイデンティティを送信することができる。
【００３０】
本方法は、例えば外部デバイスからの単語数要求の受信に応じて、トランシーバモジュールを介して総単語数を外部デバイスに送信する工程を備えていてもよい。本方法は、例えば外部デバイスからの単語数要求の受信に応じて、または、外部デバイスからの別個のリセット要求の受信に応じて、総単語数をリセットする工程を備える。総単語数をリセットする工程は、総単語数の最後のリセット時間を示すリセットタイムスタンプを保存することを備えていてもよい。
【００３１】
総単語数を送信する工程は、リセットタイムスタンプを外部デバイスに送信する工程を備えていてもよい。
【００３２】
１つまたは複数の例示的な方法では、本方法は、聴覚装置の位置を決定する工程と、聴覚装置の位置がユーザの耳の位置を示していない場合、例えば、位置基準が満たされていないことに応じて、第１／第ｉの会話信号の第１／第ｉの単語数を決定する工程、および／または、総単語数を更新する工程を無効にする工程と、を備える。これにより、総単語数は、実際にユーザに出力される単語数をより正確に表すことが保証される。さらに、より電力効率の高い聴覚装置／方法が提供される。
【００３３】
さらに、第１／第ｉの会話信号を取得する受信ユニットと、第１の会話信号に基づいて、電気出力信号を提供するプロセッサと、電気出力信号を音声出力信号に変換するレシーバと、を備え、本明細書に記載される方法を実行する聴覚装置も開示される。
【００３４】
第１／第ｉの会話信号を取得する受信ユニットと、第１の会話信号に基づいて電気出力信号を提供するプロセッサと、電気出力信号を音声出力信号に変換するレシーバと、を備えた聴覚装置が開示され、プロセッサは、第１／第ｉの会話信号の第１／第ｉの単語数を決定し、第１／第ｉの単語数に基づいて総単語数を更新し、電気出力信号を提供するために第１の会話信号を処理する。
【００３５】
したがって、プロセッサは、第１／第ｉの会話信号の第１／第ｉの単語数を決定し、所望により第１／第ｉの単語数に基づき総単語数を更新するカウンタモジュールを備えていてもよい。プロセッサは、第１／第ｉの単語数に基づき総単語数を更新する、例えばカウンタモジュールの一部としての更新モジュールを備えていてもよい。
【００３６】
プロセッサは、レシーバによって音声出力信号に変換される電気出力信号を提供するために、第１／第ｉの会話信号を処理する処理ユニットまたは処理モジュールを備えていてもよい。
【００３７】
聴覚装置は、総単語数を聴覚装置のメモリに保存するメモリを備えていてもよい。
【００３８】
例えば聴覚障害者のための聴音経験を向上させるための方法が開示される。方法は、聴覚装置を用いて会話信号を受信する工程と、受信される会話信号の単語数を決定する工程と、聴覚装置によって受信される会話信号に関連付けられる総／累積単語数を決定する工程と、聴覚装置で受信される会話信号を処理する工程と、聴覚装置のスピーカを用いて処理済み会話信号を再生する工程と、を備える。
【００３９】
方法は、聴覚装置のマイクロホンを用いて音響会話信号を受信する工程と、受信される音響会話信号の到来方向を決定する工程と、を備えていてもよい。
【００４０】
方法は、受信される音響会話信号の了解度を決定する工程を備えていてもよい。
【００４１】
方法は、受信される音響会話信号の了解度が所定の値よりも低い場合、受信される会話信号内の単語数の決定を中止する工程を備えていてもよい。
【００４２】
方法は、音響会話信号を発する人のアイデンティティを決定する工程を備えていてもよい。
【００４３】
方法は、音響会話信号を発する人の声をパラメータ化する工程を備えていてもよい。方法は、取得される音声パラメータをさまざまな人と関連付けられる事前に保存された音声パラメータと比較する工程を備えていてもよい。方法は、比較に基づいて、音響会話信号を発する人および／または音響会話信号を発する一人以上の人のアイデンティティを確立する工程を備えていてもよい。方法は、取得される音声パラメータに基づいて、音響会話信号を発する人のアイデンティティを確立する工程を備えていてもよい。
【００４４】
方法は、識別された各人について、受信される会話信号内の、識別される人に関連付けられた単語数を決定する工程と、識別される各人について、総／累積単語数を決定する工程と、を備えていてもよい。
【００４５】
方法は、一人以上の識別された人について、受信される会話信号内の、識別される人に関連付けられた単語数を決定する工程と、少なくとも一人以上の識別される人について、総／累積単語数を決定する工程と、を備えていてもよい。
【００４６】
方法は、マイクロホンを有し、既知のスピーカに関連付けられているリモートデバイスからの電気会話信号を受信する工程を備えていてもよい。
【００４７】
方法は、外部デバイスを用いて取得される総／累積単語数を可視化する工程を備えていてもよい。
【００４８】
方法は、マイクロホンを有し、既知のスピーカに関連付けられている外部デバイスによって会話信号を記録する工程と、記録される電気会話信号を聴覚装置にストリーミングする工程と、を備えていてもよい。
【００４９】
方法は、外部デバイスによる総／累積単語数を０に設定する工程を備えていてもよい。
【００５０】
方法は、聴覚装置の位置を確立する工程と、任意に、聴覚障害者の耳に聴覚装置が配置されていないと判定される場合、受信される会話信号の単語数の決定を無効にする工程と、をさらに備えていてもよい。
【００５１】
方法は、聴覚装置のマイクロホンを用いて、聴覚障害者によって生成される会話信号を取り込む工程と、取り込まれる会話信号の単語数を決定する工程と、取り込まれる会話信号に関連付けられた総／蓄積単語数を決定する工程と、を備えていてもよい。
【００５２】
図１は、本開示による例示的な聴覚デバイス２のブロック図である。聴覚装置２は、メモリ４と、入力信号９Ａの一部として第１の会話信号９を取得する受信ユニット６と、第１の会話信号９／入力信号９Ａに基づいて電気出力信号１５を提供するプロセッサ７と、電気出力信号１５を音声出力信号１７に変換するレシーバ１６と、を備える。プロセッサ７は、第１の会話信号９の単語カウントモジュール１２Ａを用いて第１の単語数を決定し、更新モジュール１２Ｂを用いて第１の単語数に基づいて総単語数を更新するカウンタモジュール１２を備える。カウンタモジュール１２は、総単語数ＴＷＣを聴覚装置２のメモリ４に保存する。プロセッサ７は、聴力補償スキームに従って、電気出力信号１５を提供するために第１の会話信号９を処理するように構成された処理モジュールまたはユニット１４を備え、すなわち、処理ユニット１４は、聴覚装置２のユーザの聴力損失を補う。
【００５３】
受信ユニット６は、任意に、アンテナ６Ａと、トランシーバ入力信号６Ｃを取得するために、無線入力信号を受信するためにアンテナ６Ａに接続される無線トランシーバ６Ｂと、を備える。トランシーバ入力信号は、第１の会話信号の少なくとも一部を形成してよい。受信ユニット６は、第１のマイクロホン入力信号８Ｂ、および、任意に、第２のマイクロホン入力信号８Ｃをそれぞれ提供するための第１のマイクロホン８、および、任意に、第２のマイクロホン８Ａを含む１組のマイクロホンを備える。第１の会話信号９は、第１のマイクロホン入力信号８Ｂおよび／または第２のマイクロホン入力信号８Ｃに基づく。第１の会話信号９は、トランシーバ入力信号６Ｃに基づいていてもよい。受信ユニット６は、例えば第１の会話信号９を提供するための入力信号６Ｃ、８Ｂ、８Ｃを混合する、例えば追加および／またはフィルタリングする混合モジュール１０を備える。混合モジュール１０はプロセッサ７の一部として実装されていてもよい。
【００５４】
図２は、本開示の例示的実施形態による聴覚障害者のために聴音経験を向上させる方法のフローチャートを示す。本方法１８は、聴覚装置の一部である受信ユニットを用いて、会話信号を受信するステップ２０と、聴覚装置のカウンタを用いて、受信した会話信号の単語数を決定するステップ３０と、専用ユニットを用いて、聴覚装置により受信される会話信号に関連付けられた総／蓄積単語数を決定するステップ４０と、聴覚装置で受信した会話信号を処理するために、聴覚装置の処理ユニットを使用するステップ５０と、聴覚装置のスピーカを用いて、処理済み会話信号を再生するステップ６０と、を備える。
【００５５】
図３は、聴覚デバイスの例示的操作方法１００のフローチャートを示す。本方法１００は、例えば受信ユニットから聴覚装置のプロセッサへの入力信号のサンプルとして、第１の会話信号Ｓ＿１を取得する工程１０２と、第１の会話信号Ｓ＿１の第１の単語数ＷＣ＿１を決定する工程１０４と、例えばＷＣ＿１を前のＴＷＣに加算することによって、第１の単語数ＷＣ＿１に基づき総単語数ＴＷＣを更新する工程１０６と、を備える。本方法１００は、第１の会話信号／入力信号に基づいて電気出力信号を提供する工程１０８と、電気出力信号を音声出力信号に変換する工程１１０と、を含む。第１の会話信号は、０．１秒〜１０秒の範囲の持続時間を有していてもよい。方法ステップ１０４、１０６は、方法ステップ１０８、１１０と並行して実行されてもよい。
【００５６】
図４は、本開示による例示的聴覚装置２のブロック図である。聴覚装置２は、入力信号９を提供するための受信ユニット６を備える。受信ユニット６は、少なくとも１つのマイクロホン８、８Ａを備える。聴覚装置２は、入力信号９、すなわち受信された会話信号の単語数を決定するカウンタモジュール１２をさらに備える。聴覚装置２は、総／累積単語数を決定するユニット１３も有する。このユニットは、図示される実施例では、カウンタモジュール１２の一部である。聴覚装置２は、受信した会話信号を処理する処理ユニット１４をさらに備える。処理ユニット１４は、処理ユニット１４への入力信号に基づいて電気出力信号１５を提供する。聴覚装置２は、電気出力信号を音声出力信号に変換するスピーカ１６も備える。プロセッサ１４は、人の聴力損失を補い、入力信号に基づいて電気出力信号１５を提供する。スピーカ１６は、電気出力信号１５を聴覚デバイスユーザの鼓膜に向けられる音声出力信号に変換する。
【００５７】
図５は、本開示による例示的方法のより詳細な実施例である。聴覚装置の操作方法１００Ａは、指数ｉおよび／または総単語数ＴＷＣをリセットする工程１１２を備える。本方法は、第１の会話信号Ｓ＿１を含む第ｉの会話信号Ｓ＿ｉを取得する工程１０２であって、各会話信号Ｓ＿ｉが、受信ユニットから聴覚装置のプロセッサへの入力信号のサンプルである工程と、第ｉの会話信号のソースである人のアイデンティティＩＤ＿ｉ、第ｉの会話信号のＳＩＩ等の第ｉの了解度パラメータＩＰ＿ｉ、および第ｉの会話信号の第ｉの到来方向ＤＯＡ＿ｉのうちの１つまたは複数を決定する工程１１４と、を備える。本方法１００Ａは、１つまたは複数の方向基準、および／または、１つまたは複数の了解度基準等の１つまたは複数の基準が満たされているかどうかを判定する工程１１６を備える。１つまたは複数の基準が満たしているかどうかを判定する工程１１６は、任意に、アイデンティティＩＤ＿ｉが１つまたは複数のアイデンティティ基準を満たすかどうかを判定する工程を備える。単語数ＷＣ＿ｉを決定する工程１０４は、任意に、１つまたは複数の基準が満たされていることに応じて、単語数ＷＣ＿ｉを決定する工程を備える。総ＴＷＣを更新する工程１０６は、１つまたは複数の基準が満たされているに応じてＴＷＣを更新する工程を備える。
【００５８】
方法１００Ａは、第ｉの会話信号／入力信号に基づいて電気出力信号を提供する工程１０８と、電気出力信号を音声出力信号に変換する工程１１０と、を備える。方法１００Ａは、指数ｉを増分する工程１１８と、例えば停止基準が満たされるまで（図示せず）、第ｉの会話信号Ｓ＿ｉを取得する工程１０２に戻ることを含む。停止基準は、総単語数がある期間にわたって、例えば少なくとも３０分間、１時間、２時間、またはそれ以上にわたって決定されたときに満たされてもよい。第ｉの会話信号は、０．１秒〜１０秒の範囲の持続時間を有してよい。方法ステップ１０４、１０６は、関連する場合に方法ステップ１０８、１１０と並行して実行されてもよい。
【００５９】
図６は、本開示による例示的方法の実施例を示す。聴覚装置の操作方法１００Ｂは、指数ｉおよび／または総単語数ＴＷＣをリセットする工程１１２を備える。本方法は、第１の会話信号Ｓ＿１を含む第ｉの会話信号Ｓ＿ｉを取得する工程１０２であって、各会話信号Ｓ＿ｉが、受信ユニットから聴覚装置のプロセッサへの入力信号のサンプルである工程と、第ｉの会話信号の単語数ＷＣ＿ｉを決定する工程１０４と、を含む。総ＴＷＣを更新する工程１０６には、任意に、第ｉの単語数を第ｉ−１の総単語数に加算する工程を備え、例えばＴＷＣ＿ｉ＝ＷＣ＿ｉ＋ＴＷＣ＿（ｉ−１）である。ＴＷＣを更新する工程は、限られたメモリリソースを有効に利用するために、聴覚装置のメモリ内の前のＴＷＣを上書きする工程を備えていてもよい。
【００６０】
方法１００Ｂは、第ｉの会話信号／入力信号に基づいて電気出力信号を提供する工程１０８と、電気出力信号を音声出力信号に変換する工程１１０と、を備える。方法１００Ｂは、指数ｉを増分する工程１１８と、例えば停止基準が満たされるまで、第ｉの会話信号Ｓ＿ｉを取得する工程１０２に戻ることを備える。停止基準は、総単語数がある期間にわたって、例えば少なくとも３０分間、１時間、２時間、またはそれ以上にわたって決定されたときに満たされてもよい。第ｉの会話信号は、０．１秒〜１０秒の範囲の持続時間を有していてもよい。方法ステップ１０４、１０６は、関連する場合に、方法ステップ１０８、１１０と並行して実行されてもよい。
【００６１】
図７は、本開示による例示的方法の実施例を示す。方法１００Ｃは、進行基準が満たされているかどうかを判定する工程１２０を備え、進行基準が満たされていることに応じて、指数ｉを増分する工程１１８に進む。進行基準が満たされていないことに応じて、方法１００Ｃは、任意に、総単語数を携帯電話等の外部デバイスに送信する工程１２２に進む。
【００６２】
本開示は、ユーザ／聴覚障害児がさらされる単語数を追跡し得ることを必要とする。有利には、ユーザ／聴覚障害児の親および／または聴覚ケア専門家は、これにより子どもの聴覚日の１つの重要な特徴、すなわちユーザがさらされた単語の数（単語数）についての知識をさらに得ることができる。このようにして、障害があるにもかかわらず、子どもが通常のペースで言語スキルを身につけることが容易になり得る。
【００６３】
総／総／蓄積単語数を保存するさまざまな方法がある。典型的には、総／総／蓄積単語数は、従来のクラウドでの解決策を用いて保存される。より具体的には、データは、聴覚装置のメモリから直接、または、携帯電話等の中間デバイスの助けを借りて、クラウドストレージに転送されてよい。別の方法として、総／総／蓄積単語数は、任意に、聴覚装置に組み込まれたメモリ／メモリユニットに保存される。この構成は、自律的な解決策を提供するため大きな利点をもたらす。さらに、子ども用の聴覚装置は、成人用のものよりも本来ずっと単純である。特に、最新式聴覚装置の多くの高度な特徴、例えば両耳用機能およびテレコイルは、子ども用の聴覚装置に関しては余計である。したがって、今日の聴覚装置に関連する空間的制約は、さほど厳しいものではない。これにより、単語カウント機能を提供するために、子どもの聴覚装置に専用のメモリユニットの組み込みを可能とする。
【００６４】
１つまたは複数の実施形態では、聴覚装置のマイクロホンによって音響会話信号が受信され、それによって、受信された音響会話信号の到来方向が決定され得る。より具体的には、周知の頭影効果により、２つの耳での音響会話信号の強度レベル（両耳間レベル差；ＩＬＤ）および到着時刻（両耳間時間差；ＩＴＤ）が変化する。ＩＴＤは、１５００Ｈｚ未満の音声コンテンツの音声方向定位キューとして認識されるが、ＩＬＤは、１５００Ｈｚ超の音声コンテンツの音声方向定位キューとして識別される。これらのキューを使用すると、受信した音響会話信号の到来方向を取得できる。したがって、聴覚障害者に対する話者の位置に関する情報は、受信された音響会話信号の妥当性を評価するために使用され得る。したがって、正面から真っ直ぐに到来する音響会話信号は、０方向から−４５°未満または４５°超等の角度で側方から聴覚装置に到来する対応する会話信号よりも高い関連性が割り当てられるべきである。
【００６５】
１つまたは複数のさらなる実施形態では、受信された音響会話信号の了解度が決定される。短時間客観了解度（ＳＴＯＩ）メトリックおよび正規化共分散メトリック等の許容できる信頼性で会話了解度を予測するさまざまな方法がある。続いて、受信された音響会話信号の了解度が所定の値、典型的には０〜１の間の値よりも低い場合、受信された会話信号内の単語数の決定は中止される。
【００６６】
１つまたは複数の例示的な実施形態では、音響会話信号を発する人のアイデンティティを決定することができる。これは、音響会話信号を発する人の声をパラメータ化し、その後、取得した音声パラメータをさまざまな人と関連付けられる事前に保存された音声パラメータと比較し、最後に比較に基づいて、音響会話信号を発する人のアイデンティティを確立することによって行うことができる。関連する音声パラメータの１つは、音程であってよい。声の音程は、声帯の振動速度として定義される。話者の声をパラメータ化するために使用される他の技法は、隠れマルコフモデルまたは混合ガウスモデルであってよい。
【００６７】
関連する実施形態では、識別された各人について、単語数は識別された人に関連付けられ、その人に関連付けられた総／累積単語数に加算される。このようにして、その人の聴覚日に関するより詳細な統計を取得することができる。例えば、特定の人が発した会話信号の総／累積語数を取得することができる。例として、聴覚障害児の親は、これにより、彼ら自身の総／累積単語数を追跡することができる。公知であるように、聴覚障害児が十分な言語スキルを身につけるためには、親の声を聞くことが特に重要である。
【００６８】
さらに別の実施形態では、マイクロホンを有するリモートデバイスからの電気会話信号が受信される。リモートデバイスは既知のスピーカに関連付けられている。次に、聴覚装置によって受信された会話信号に関連付けられた総／累積単語数が決定される。リモートデバイスは、聴覚装置を補うために使用されるいわゆるスパウスマイクロホンであってよい。スパウスマイクロホンは、子どもの親または教師に着用され、子どもの聴覚装置と無線通信することができる。これにより、遠く、または学校または幼稚園のように背景雑音の多い状況で子どもがはっきりと会話を理解することができるようになる。明らかに、この状況では、受信された会話信号の単語数を決定するプロセスは、音響会話信号が聴覚装置のマイクロホンによって受信されるときに採用されるプロセスとは異なる。それにもかかわらず、基本的な原則および目的は同じままである。リモートデバイスは既知の話者、典型的には親または教師に関連付けられているため、音響会話信号を発する人のアイデンティティは自動的に決定される。
【００６９】
１つまたは複数の実施形態では、取得された総／累積単語数が出力され、例えば、パーソナルコンピュータ、タブレットまたは携帯電話等の外部デバイスを用いてディスプレイにおいて可視化される。例として、モバイルデバイス上で実行されるモバイルアプリを視覚化に使用してもよい。ここで、単語数データ（総単語数）は、Ｂｌｕｅｔｏｏｔｈ等の従来の技術を使用して、聴覚装置からモバイルデバイスに転送される。
【００７０】
さらなる実施形態では、会話信号は、マイクロホンを有し、既知の話者に関連付けられている携帯電話等の外部デバイスによって記録される。記録された電気会話信号は、その後聴覚装置にストリーミングされる。このようにして、話者、好ましくは、親は、就寝時に子どもの聴覚装置にストリーミングされる複数の音声ファイル、例えばおとぎ話を含むライブラリを生成することができる。このストリーミングは、実際の就寝時に物語を話すのに非常に優れた代替手段である。これらの音声ファイルは何度も再生され得るため、この解決策は、親にかかる負担をかなり軽減する。
【００７１】
代替的に、または、追加的に、総／累積単語数は、パーソナルコンピュータ、タブレットまたは携帯電話等の外部デバイスを用いて０に設定される。これは典型的には、１日の終わりに、その特定の日の総／累積単語数が転送または読み取りされた直後に行われる。あるいは、聴覚装置自体が総／累積単語数を０に設定してもよい。
【００７２】
さらに別の実施形態では、聴覚装置の位置が確立される。これは、さまざまな技術、例えば一体型ジャイロスコープおよび／または温度センサを使用して行ってもよい。聴覚障害者の耳に聴覚装置が配置されていないと判定された場合、受信された会話信号の単語数の判定は無効にされる。このようにして、聴覚障害者が聴覚装置を装着しておらず、したがって会話信号を聞くことができない状況では、単語数は更新されない。これにより、より正確な総／累積単語数を取得することができる。
【００７３】
さらなる実施形態では、聴覚障害者によって生成された会話信号は、聴覚装置のマイクロホンによって取り込まれ、その結果、取り込まれた会話信号の単語数が決定され、取り込まれた会話信号に関連付けられた総／累積単語数が最終的に決定される。このようにして、聴覚障害児の親および／または聴覚ケア専門家は、聴覚障害児の会話の進行を追跡できる。これは、子どもが話し言葉に十分にさらされているかどうかの間接的な指標でもあり、子どもが話し言葉にさらされていない場合、満足のいく言語発達は事実上不可能である。
【００７４】
以下の項目のいずれかに係る方法および装置も開示される。
【００７５】
項目１
例えば聴覚障害者のための聴音経験を向上させるための方法であって、
−  聴覚装置を用いて会話信号を受信するステップ（２０）と、
−  受信される会話信号の単語数を決定するステップ（３０）と、
−  聴覚装置によって受信される会話信号に関連付けられる総／累積単語数を決定するステップ（４０）と、
−  聴覚装置で受信される会話信号を処理するステップ（５０）と、
−  聴覚装置のスピーカを用いて処理済み会話信号を再生するステップ（６０）と、
を備える方法。
【００７６】
項目２
方法は、
−  聴覚装置のマイクロホンを用いて音響会話信号を受信するステップと、
−  受信される音響会話信号の到来方向を決定するステップと、
をさらに備える、項目１に記載の方法。
【００７７】
項目３
方法は、
−  受信される音響会話信号の了解度を決定するステップを、
さらに備える、項目１または２に記載の方法。
【００７８】
項目４
方法は、
−  受信される音響会話信号の了解度が所定の値よりも低い場合、受信される会話信号内の単語数の決定を中止するステップを、
さらに備える、項目３に記載の方法。
【００７９】
項目５
方法は、
−  音響会話信号を発する人のアイデンティティを決定するステップを、
さらに備える、項目１〜４のいずれか一項に記載の方法。
【００８０】
項目６
方法は、
−  音響会話信号を発する人の声をパラメータ化するステップと、
−  取得される音声パラメータをさまざまな人と関連付けられる事前に保存された音声パラメータと比較するステップと、
−  比較に基づいて、音響会話信号を発する人のアイデンティティを確立するステップと、
をさらに備える、項目５に記載の方法。
【００８１】
項目７
方法は、
−  識別された各人について、受信される会話信号内の、識別される人に関連付けられた単語数を決定するステップと、
−  識別される各人について、総／累積単語数を決定するステップと、
をさらに備える、項目６に記載の方法。
【００８２】
項目８
方法は、
−  マイクロホンを有し、既知のスピーカに関連付けられているリモートデバイスからの電気会話信号を受信するステップを、
さらに備える、項目１〜７のいずれか一項に記載の方法。
【００８３】
項目９
方法は、
−  外部デバイスを用いて取得される総／累積単語数を可視化するステップを、
さらに備える、項目１〜８のいずれか一項に記載の方法。
【００８４】
項目１０
方法は、
−  マイクロホンを有し、既知のスピーカに関連付けられている外部デバイスによって会話信号を記録するステップと、
−  記録される電気会話信号を聴覚装置にストリーミングするステップと、
をさらに備える、項目１〜９のいずれか一項に記載の方法。
【００８５】
項目１１
方法は、
−  外部デバイスを用いて取得される総／累積単語数を０に設定するステップを、
さらに備える、項目１〜１０のいずれか一項に記載の方法。
【００８６】
項目１２
方法は、
−  聴覚装置の位置を確立するステップと、
−  聴覚障害者の耳に聴覚装置が配置されていないと判定される場合、受信される会話信号の単語数の決定を無効にするステップと、
をさらに備える、項目１〜１１のいずれか一項に記載の方法。
【００８７】
項目１３
方法は、
−  聴覚装置のマイクロホンを用いて、聴覚障害者によって生成される会話信号を取り込むステップと、
−  取り込まれる会話信号の単語数を決定するステップと、
−  取り込まれる会話信号に関連付けられた総／蓄積単語数を決定するステップと、
をさらに備える、項目１〜１２のいずれか一項に記載の方法。
【００８８】
項目１４
−  会話信号を受信する受信ユニット（６）と、
−  受信される会話信号の単語数を決定するカウンタ（１２）と、
−  聴覚装置によって受信される会話信号に関連付けられる総／累積単語数を決定するユニット（１３）と、
−  受信される会話信号を処理する処理ユニット（１４）と、
−  処理済み会話信号を再生するスピーカ（１６）と、
を備える聴覚装置（２）。
【００８９】
「第１の」、「第２の」、「第３の」、および「第４の」、「１次」、「２次」、「３次」等の用語の使用は、任意の特定の順序を意味するものではなく、個々の要素を識別するために含まれる。さらに、「第１の」、「第２の」、「第３の」、および「第４の」、「１次」、「２次」、「３次」等の用語の使用は、任意の順序または重要性を示すものではなく、むしろ「第１の」、「第２の」、「第３の」、および「第４の」、「１次」、「２次」、「３次」等の用語はある要素を他の要素と区別するために使用される。「第１の」、「第２の」、「第３の」、および「第４の」、「１次」、「２次」、「３次」等の用語は、本明細書および他の箇所において標識する目的でのみ使用されており、任意の特定の空間的または時間的な順序を示すことは意図されていないことに留意されたい。
【００９０】
さらに、第１の要素の標識は、第２の要素の存在を意味するものではなく、その逆もある。
【００９１】
図面および明細書において、本発明の典型的な好ましい実施形態が開示され、特定の用語が用いられるが、それらの用語は、一般的かつ説明的に使用されるに過ぎず、限定することを目的としておらず、発明の範囲は以下の特許請求の範囲に記載される。
【符号の説明】
【００９２】
２、２Ａ：聴覚装置
４：メモリ
６：受信ユニット／入力モジュール
６Ａ：アンテナ
６Ｂ：無線トランシーバ
６Ｃ：トランシーバ入力信号
７：プロセッサ
８：マイクロホン、第１のマイクロホン
８Ａ：第２のマイクロホン
８Ｂ：第１のマイクロホン入力信号
８Ｃ：第２のマイクロホン入力信号
９：第１の会話信号
９Ａ：入力信号
１２：カウンタモジュール
１２Ａ：単語カウントモジュール
１２Ｂ：更新モジュール
１３：総／累積単語数を決定するユニット
１４：処理ユニット
１５：電気出力信号
１６：スピーカ／レシーバ
１７：音声出力信号
１８：聴覚障害者のための聴音経験を向上させる方法
２０：会話信号を受信する工程
３０：受信した会話信号の単語数を決定する工程
４０：会話信号に関連付けられた総／蓄積単語数を決定する工程
５０：受信した会話信号を処理する工程
６０：処理済み会話信号を再生する工程
１００、１００Ａ、１００Ｂ、１００Ｃ：聴覚デバイスの操作方法
１０２：第１／第ｉの会話信号を取得する工程
１０４：第１／第ｉの会話信号の第１／第ｉの単語数を決定する工程
１０６：任意に、１つまたは複数の基準が満たされていることに応じて、第１／第ｉの単語数に基づき総単語数を更新する工程
１０８：第１／第ｉの会話信号に基づき電気出力信号を提供する工程
１１０：電気出力信号を音声出力信号に変換する工程
１１２：指数ｉおよび／または総単語数をリセットする工程
１１４：第ｉの会話信号のソースである人のアイデンティティ、第ｉの会話信号の第ｉの了解度パラメータ、および第ｉの会話信号の第ｉの到来方向のうちの１つまたは複数を決定する工程
１１６：１つまたは複数の基準が満たされているかどうかを判定する工程
１１８：指数ｉを増分する工程
１２０：進行基準が満たされているかどうかを判定する工程
１２２：総単語数を外部デバイスに送信する工程
【図１】
2020535731.tif 000003
【図２】
2020535731.tif 000004
【図３】
2020535731.tif 000005
【図４】
2020535731.tif 000006
【図５】
2020535731.tif 000007
【図６】
2020535731.tif 000008
【図７】
2020535731.tif 000009
【国際調査報告】
2020535731.tif 000010
2020535731.tif 000011
2020535731.tif 000012
2020535731.tif 000013